(57)【特許請求の範囲】
【請求項１】
入力デバイスの制御方法であって、
前記入力デバイスに含まれるタッチ領域を介して使用者のタッチが入力されるステップと；
複数の把持位置のうち使用者の把持位置を認識して、前記入力デバイスに含まれる前記タッチ領域に対応する認識領域を介して前記タッチ領域に入力される前記使用者のタッチを認識し、使用者の把持位置と前記認識された使用者のタッチに基づいて、前記タッチ領域に対応する前記認識領域の範囲を可変して割り当てるステップと； 
を含み、
前記認識領域の範囲を可変して割り当てるステップは、
前記認識された使用者のタッチが、前記複数の把持位置のうちのどの把持位置から入力されているかを判断するステップと；
前記の判断されたタッチが入力された把持位置に対応する方向に、前記認識領域を偏して前記認識領域の範囲を可変して割り当てるステップと；
を含む、入力デバイスの制御方法。
【請求項２】
前記認識領域を複数個のセル領域に区画して少なくとも一部のセル領域が不均一に分割されたセル座標系によって前記タッチ領域に対応する前記認識領域の範囲を可変して割り当てることを特徴とする請求項１に記載の入力デバイスの制御方法。
【請求項３】
前記認識された使用者のタッチに基づいて、前記認識領域の範囲を可変して割り当てるステップは、前記タッチ領域上の位置に基づいて、前記認識領域の範囲を可変して割り当てるステップを含むことを特徴とする請求項１に記載の入力デバイスの制御方法。
【請求項４】
前記認識された使用者のタッチに基づいて、前記認識領域の範囲を可変して割り当てるステップは、前記タッチ領域の形態に基づいて、前記認識領域の範囲を可変して割り当てるステップを含むことを特徴とする請求項１に記載の入力デバイスの制御方法。
【請求項５】
前記認識された使用者のタッチに基づいて、前記認識領域の範囲を可変して割り当てるステップは、タッチ形態に基づいて、前記認識領域の範囲を可変して割り当てるステップを含むことを特徴とする請求項１に記載の入力デバイスの制御方法。
【請求項６】
前記認識された使用者のタッチに基づいて、前記認識領域の範囲を可変して割り当てるステップは、タッチ速度に基づいて、前記認識領域の範囲を可変して割り当てるステップを含むことを特徴とする請求項１に記載の入力デバイスの制御方法。
【請求項７】
前記認識された使用者のタッチに基づいて、前記認識領域の範囲を可変して割り当てるステップは、使用者の特性に基づいて、前記認識領域の範囲を可変して割り当てるステップを含むことを特徴とする請求項１に記載の入力デバイスの制御方法。
【請求項８】
前記認識された使用者のタッチに基づいて、前記認識領域の範囲を可変して割り当てるステップは、タッチ媒体に基づいて、前記認識領域の範囲を可変して割り当てるステップを含むことを特徴とする請求項１に記載の入力デバイスの制御方法。
【請求項９】
使用者のタッチを入力されるタッチ領域及び前記タッチ領域に対応して使用者の把持位置と前記タッチ領域に入力された前記使用者のタッチを認識する認識領域を含むタッチパネルと；
複数の把持位置のうち使用者の把持位置と前記認識された使用者のタッチに基づいて、前記タッチ領域に対応する前記認識領域の範囲を可変して割り当てる制御部と；
を含み、
前記制御部は、
前記認識された使用者のタッチが、前記複数の把持位置のうちのどの把持位置から入力されているかを判断し；
前記の判断されたタッチが入力された把持位置に対応する方向に、前記認識領域を偏して前記認識領域の範囲を可変して割り当てる；
ように構成されることを特徴とする入力デバイス。
【請求項１０】
前記制御部は、前記認識領域を複数個のセル領域に区画して少なくとも一部のセル領域が不均一に分割されたセル座標系によって前記タッチ領域に対応する前記認識領域の範囲を可変して割り当てることを特徴とする請求項９に記載の入力デバイス。
【請求項１１】
前記制御部は、前記タッチ領域上の位置に基づいて、前記認識領域の範囲を可変して割り当てるように構成されることを特徴とする請求項９に記載の入力デバイス。
【請求項１２】
前記制御部は、前記タッチ領域の形態に基づいて、前記認識領域の範囲を可変して割り当てるように構成されることを特徴とする請求項９に記載の入力デバイス。
【請求項１３】
前記制御部は、タッチ形態に基づいて、前記認識領域の範囲を可変して割り当てるように構成されることを特徴とする請求項９に記載の入力デバイス。
【請求項１４】
前記制御部は、タッチ速度に基づいて、前記認識領域の範囲を可変して割り当てるように構成されることを特徴とする請求項９に記載の入力デバイス。
【請求項１５】
前記制御部は、使用者の特性に基づいて、前記認識領域の範囲を可変して割り当てるように構成されることを特徴とする請求項９に記載の入力デバイス。
【発明の詳細な説明】
【技術分野】
【０００１】
本発明は、入力デバイスとその制御方法に関するものとして、より詳しくは多様な基準によってタッチパッドの認識領域を動的に割り当てることによって使用者の意図に符合されるタッチ地点を認識することができる入力デバイスとその制御方法に関するものである。
【背景技術】
【０００２】
TVリモコンや携帯電話には多数のボタンで構成されたキーパッドが存在する。この場合、リモコンや携帯電話などの様々な機能を操作するためには該当する機能に対応するボタンを配置すべきである。
【０００３】
タッチを利用して座標を抽出する既存のタッチパッドの場合、把持された形態やタッチされる媒介体の移動半径や形態が反映されずにその座標系が固定されていて把持された手とタッチするその指の移動形態によって誤差が発生することになる。
【０００４】
故に、タッチパッドの領域を区部してボタンとして使用する時、該当誤差によって意図してないボタンがクリックされる誤謬だけではなくタッチパッド上を移動するすべての動作にあって間違っている座標値が発生することがある。
【発明の開示】
【発明が解決しようとする課題】
【０００５】
故に、本発明の目的はタッチパッドの大きさ及び形態、タッチパッドを把持している使用者の手の接触位置と面積によって認識領域を動的に割り当てて実際の使用者が意図した座標と実際の指がタッチパッドに接触した座標間の差を減少させることによって誤動作を防止するための装置及び方法を提供することである。
【課題を解決するための手段】
【０００６】
前記目的は、本発明によって、入力デバイスの制御方法にあって、前記入力デバイスに含まれるタッチ領域を通じて使用者のタッチが入力される段階；及び前記入力デバイスに含まれて前記タッチ領域に対応される認識領域を通じて前記タッチ領域に入力された前記使用者のタッチを認識して、所定の基準によって前記タッチ領域に対応される前記認識領域の範囲を可変して割り当てる段階を含む入力デバイスの制御方法によって達成されることができる。
【０００７】
前記入力デバイスの制御方法にあって、前記認識領域を複数個のセル領域に区画して少なくとも一部のセル領域が不均一に分割されたセル座標系によって前記タッチ領域に対応される前記認識領域の範囲を可変して割り当てることができる。前記入力デバイスの制御方法にあって、前記所定の基準は、前記タッチ領域上の位置を含むことができる。前記入力デバイスの制御方法にあって、前記所定の基準は、前記タッチ領域の形態を含むことができる。前記入力デバイスの制御方法にあって、前記所定の基準は、タッチ形態を含むことができる。前記入力デバイスの制御方法にあって、前記所定の基準は、タッチ速度を含むことができる。前記入力デバイスの制御方法にあって、前記所定の基準は、使用者の特性を含むことができる。前記入力デバイスの制御方法にあって、前記所定の基準は、タッチ媒体を含むことができる。前記入力デバイスの制御方法にあって、前記使用者のタッチに対応するセル領域を認識して、これに基づいてディスプレイ装置に信号を送信する段階を更に含むことができる。
【０００８】
一方、前記目的は、本発明によって、入力デバイスにあって、使用者のタッチを入力されるタッチ領域及び前記タッチ領域に対応されて前記タッチ領域に入力された前記使用者のタッチを認識する認識領域を含むタッチパネル；及び所定の基準によって前記タッチ領域に対応される前記認識領域の範囲を可変して割り当てる制御部を含む入力デバイスによって達成されることができる。
【０００９】
前記入力デバイスにあって、前記制御部は、前記認識領域を複数個のセル領域に区画して少なくとも一部のセル領域が不均一に分割されたセル座標系によって前記タッチ領域に対応される前記認識領域の範囲を可変して割り当てることができる。前記入力デバイスにあって、前記所定の基準は、前記タッチ領域上の位置を含むことができる。前記入力デバイスにあって、前記所定の基準は、前記タッチ領域の形態を含むことができる。前記入力デバイスにあって、前記所定の基準は、タッチ形態を含むことができる。前記入力デバイスにあって、前記所定の基準は、タッチ速度を含むことができる。前記入力デバイスにあって、前記所定の基準は、使用者の特性を含むことができる。前記入力デバイスにあって、前記所定の基準は、タッチ媒体を含むことができる。前記入力デバイスにあって、ディスプレイ装置と通信を行なう通信部を更に含めて、前記制御部は、前記使用者のタッチに対応するセル領域を認識して、これに基づいて前記ディスプレイ装置に信号を送信するように前記通信部を制御することができる。
【００１０】
一方、前記目的は、本発明によって、入力デバイス及びディスプレイ装置を含むシステムの制御方法にあって、前記入力デバイスに含まれるタッチ領域を通じて使用者のタッチを入力される段階；前記入力デバイスに含まれて前記タッチ領域に対応される認識領域を通じて前記タッチ領域に入力された前記使用者のタッチを認識して、所定の基準によって前記タッチ領域に対応される前記認識領域の範囲を可変して割り当てる段階；前記入力デバイスが、認識された前記使用者のタッチに基づいて前記ディスプレイ装置に制御信号を送信する段階；及び前記ディスプレイ装置が、前記入力デバイスから受信された制御信号に基づいて前記ディスプレイ装置の制御を行なう段階を含むシステムの制御方法によって達成されることができる。
【００１１】
一方、前記目的は、本発明によって、入力デバイス及びディスプレイ装置を含むシステムにあって、使用者のタッチを入力されるタッチ領域及び前記タッチ領域に対応されて前記タッチ領域に入力された前記使用者のタッチを認識する認識領域を含んで所定の基準によって前記タッチ領域に対応される前記認識領域の範囲を可変して割り当てて、認識された前記使用者のタッチ基づいて前記ディスプレイ装置に制御信号を送信する入力デバイス；及び前記入力デバイスから受信された制御信号に基づいて前記ディスプレイ装置の制御を行なうディスプレイ装置を含むシステムによって達成されることができる。
【発明の効果】
【００１２】
以上説明したように、本発明によると、タッチパッドの大きさ及び形態、タッチパッドを把持している使用者の手の接触位置と面積によって認識領域を動的に割り当てて実際に使用者が意図した座標と実際に指がタッチパッドに接触した座標間の差を減少させることによって誤動作を防止することができる。
【図面の簡単な説明】
【００１３】
【図１】本発明の一実施例による入力デバイスの構成を図示したブロック図である。
【図２ａ】本発明の一実施例によってタッチ領域と認識領域を動的に割り当てる場合を図示した図面である。
【図２ｂ】本発明の一実施例によってタッチ領域と認識領域を動的に割り当てる場合を図示した図面である。
【図３ａ】一般的なセル座標系を図示した図面である。
【図３ｂ】本発明の一実施例によるセル座標系を図示した図面である。
【図４ａ】本発明の一実施例によるセル座標系の例を図示した図面である。
【図４ｂ】本発明の一実施例によるセル座標系の例を図示した図面である。
【図４ｃ】本発明の一実施例によるセル座標系の例を図示した図面である。
【図４ｄ】本発明の一実施例によるセル座標系の例を図示した図面である。
【図５】本発明の一実施例による入力デバイスの制御過程を図示した図面である。
【図６】本発明の一実施例によるディスプレイ装置の構成を図示したブロック図である。
【図７】本発明の一実施例によるディスプレイ装置の制御過程を図示した図面である。
【発明を実施するための形態】
【００１４】
以下、添付した図面を参考して本発明の実施例に対して本発明が属する技術分野で通常の知識を持ったものが用意に実施することができるように詳しく説明する。本発明はいろいろ相異な形態に具現されることができてここで説明する実施例に限らない。本発明を明確に説明するために説明と関係ない部分は省略して、明細書全体を通じて同一又は類似した構成要所に対しては同一な参照符号をつけるようにする、
【００１５】
図１は本発明の一実施例による入力デバイスの構成を図示したブロック図である。
【００１６】
本発明の一実施例による入力デバイス１００はリモートコントロール、キーボード及び移動端末などを含むことができる。また、複数個のキーを含んで、前記複数個のキーを通じた使用者の入力に対応してディスプレイ装置６００を制御することができる補助デバイスなら、本発明の一実施例による入力デバイス１００になることができる。
【００１７】
本発明の一実施例による入力デバイス１００は通信部１１０、タッチパネル１２０及び制御部１３０を含むことができる。
【００１８】
通信部１１０はディスプレイ装置６００と通信を行なうことができる。通信部１１０が行なう通信は赤外線通信、ブルートゥース通信、近距離（Local  Area  Network  LAN）通信、無線ラン（Wireless  LAN:WLAN）通信、ジグビー（Zigbee）通信及びワイファイ（Wi-Fi）通信など多様な形態の有無線通信である。
【００１９】
図２a及び図２ｂに図示されたように、タッチパネル１２０はタッチ領域及び認識領域を含むことができる。
【００２０】
前記タッチ領域は使用者のタッチを入力される。この場合、タッチ領域には複数個のキーが表示されることができて、使用者はタッチ領域に表示された複数個のキーを通じて使用者のタッチを入力することができる。前記使用者のタッチはタッチ形態、ドラッグ（drag）形態及びプッシュ形態などを含むことができる。
【００２１】
前記認識領域はタッチ領域に対応されて前記タッチ領域に入力された使用者のタッチを認識する。
【００２２】
制御部１３０は所定の基準によってタッチ領域に対応される認識領域の分割された部分の範囲、大きさ、形態又はその組合を可変して割り当てることができる。
【００２３】
一実施例によると、制御部１３０は認識領域を複数個のセル領域に区画して少なくとも一部のセル領域が不均一に分割されたセル座標系によってタッチ領域に対応される認識領域の範囲を可変して割り当てることができる。すなわち、制御部１３０は認識領域を複数個のセルに分割することができる。複数個のセルはタッチ領域のセル又はボタンに対応して、それぞれの大きさ及び/又は形態は同じでなくなることができる。
【００２４】
前記所定の基準は、いろいろ変形されることができる。
【００２５】
前記所定の基準は、タッチ領域上の位置を含むことができる。例えば、タッチ領域を把持する軸の位置から遠く離れているタッチ領域上の位置か又は近いタッチ領域上の位置かの可否によって、タッチ領域に対応される認識領域の範囲を可変して割り当てることができる。
【００２６】
前記所定の基準は、タッチ領域の形態を含むことができる。例えば、タッチ領域に含まれる複数個のキーが屈曲形態の入力ボタンに刻印されたか、又は平らな形態のタッチボタンに具現されたかの可否によって、タッチ領域に対応される認識領域の範囲を可変して割り当てることができる。また、タッチ領域の大きさによって、例えば、タッチ領域が入力デバイス１００の外側前面にプールタッチスクリーンに具現されたか、又は外側一面にタッチパッドに具現されたかの可否によって、タッチ領域に対応される認識領域の範囲を可変して割り当てることもできる。
【００２７】
前記所定の基準は、タッチ形態を含むことができる。例えば、シングルタッチ形態か又はマルチタッチ形態かの可否によって、タッチ領域に対応される認識領域の範囲を可変して割り当てることができる。
【００２８】
前記所定の基準は、タッチ速度を含むことができる。例えば、タッチ速度が速いか又は遅いかの可否によって、タッチ領域に対応される認識領域の範囲を可変して割り当てることができる。
【００２９】
前記所定の基準は、使用者の特性を含むことができる。例えば、使用者の把持習慣、年齢、性別及び身体サイズなどによって指の移動半径が変わる可能性があって、これを反映してタッチ領域に対応される認識領域の範囲を可変して割り当てることができる。こういう使用者の特性は先に入力されて認識領域の範囲割り当てる時反映されることができる。
【００３０】
前記所定の基準は、タッチ媒体を含むことができる。例えば、タッチ媒体が使用者の指なのか、又は入力ペンなのかの可否によって、タッチ領域に対応される認識領域の範囲を可変して割り当てることができる。
【００３１】
前記所定の基準は、入力デバイス１００が行なう機能を含むことができる。例えば、入力デバイス１００が情報入力機能を遂行するのか又はドローイング機能を遂行するかの可否によって、タッチ領域に対応される認識領域の範囲を可変して割り当てることができる。
【００３２】
図２a及び図２bは本発明の一実施例によってタッチ領域と認識領域とを動的に割り当てる場合を各々図示した図面である。
【００３３】
タッチ領域(表示領域)２１０、２２０、２３０は物理的な領域である。つまり、タッチ領域２１０，２２０，２３０は使用者に見せられて、使用者は前記タッチ領域２１０，２２０，２３０を基準に使用者のタッチを入力することができる。図２a及び図２bを参照すると、実線で区画される領域がタッチ領域２１０、２２０，２３０である。この場合、タッチ領域２１０，２２０，２３０上には複数個のキー（１ないし０、AないしX）が表示されている。
【００３４】
認識領域(入力領域)２１１，２２１，２３１は論理的な領域である。つまり、認識領域２１１，２２１，２３１は仮想的な領域であるから使用者に見せられない。図２a及び図２bを参照すると、点線で表示される領域が認識領域２１１，２２１，２３１である。タッチ領域２１０、２２０，２３０に入力された使用者のタッチはそれに対応する認識領域２１１，２２１，２３１にタッチの入力と認識される。
【００３５】
使用者が親指などの指でタッチパネル１２０をタッチする場合、指はタッチパネル１２０と直交する軸として指の内側節に位置する軸を中心に回転移動する。このような動きには、使用者が指を無理がなくて楽に動ける程度のどのように制限される半径、すなわち、楽な動き半径又は楽な移動半径があるごとができる。このような楽な動き半径は指の回転移動する軸から所定距離以内の範圍であるごとができる。もし、使用者の指が楽な移動半径を外れた領域をタッチすれば、つまり、使用者が指の回転移動する軸から距離が遠い位置をタッチすれば、実際には使用者が意図した位置より軸に近い位置がタッチされることができる。故に、こういうことを反映してタッチ領域２１０，２２０，２３０に対応する認識領域２１１，２２１，２３１の範囲を動的に割り当てることができる。
【００３６】
図２aはシングルタッチの場合である。図２aでは使用者が右手を使用して入力デバイス１００上のタッチ領域２１０にタッチする場合を仮定する。タッチ地点が使用者の右手から遠くなるほど、実際には使用者が意図した位置の座標より使用者の右手に近い位置の座標が検出される。故に、タッチ領域２１０に対応する認識領域２１１は左右方向にはタッチ領域２１０に比べて右の方に偏していて、上下方向にはタッチ２１０領域に比べて下の方に偏している。すなわち、認識領域２１１のセルらの境界は、指の回転移動する軸に向かって、例えば図２aでは右下のそばの方に偏する。また、使用者の右手から遠くなるほどこのような偏した程度はさらに大きくなる。言いかえれば、指の回転移動する軸から遠い認識領域２１１のセルらの境界は軸から近いセルらの境界よりさらに偏する。
【００３７】
図２aに図示されたように、使用者がタッチ領域２１０上の地点２１５をタッチした場合、実際にタッチ領域２１０上では数字５のキーをタッチしたことになる。しかし、地点２１５は数字１のキーに対応する認識領域２１１の部分に属する。故に入力デバイス１００は使用者が数字１のキーを入力したことに認識する。
【００３８】
図２bはマルチタッチの場合である。図２bでは入力デバイス１００上に二つのタッチ領域２２０，２３０、つまり第１タッチ領域２２０及び第２タッチ領域２３０が存在して、使用者が両手を使用して第１タッチ領域２２０及び第２タッチ領域２３０をタッチする場合を仮定する。
【００３９】
使用者は動作の便宜上左手を使用して第１タッチ領域２２０にタッチして、右手を使用して第２タッチ領域２３０にタッチする。この場合、タッチ地点が使用者の手から遠くなるほど、すなわち、指の回転移動する軸から遠くなるほど、実際に使用者が意図した位置より使用者の手に近い位置がタッチされる。具体的に、第１タッチ領域２２０の場合、タッチ地点が使用者の左手から遠くなるほど使用者が意図した地点の座標の代わりに使用者の左手に近い地点の座標が検出される。故に、認識領域２２１は左右方向には第１タッチ領域２２０に比べて左側に偏していて、上下方向には第１タッチ領域２２０に比べて下側に偏している。また、使用者の左手から遠くなるほど偏した程度は大きくなる。一方、第２タッチ領域２３０は図２aに図示されたことと似よって、タッチ領域２３０に対応する認識領域２３１の範囲が割り当てられる。
【００４０】
図２ｂに図示されたように、使用者が第１タッチ領域２２０上の地点２２２をタッチした場合、実際に第１タッチ領域２２０上ではアルファベットHのキーをタッチしたことになる。しかし、地点２２２はアルファベットCのキーに対応する認識領域２２１の部分に属する。故に、入力デバイス１００は使用者がアルファベットCのキーを入力したことに認識する。また、使用者が第２タッチ領域２３０上の地点２３２をタッチした場合、第２タッチ領域２３０上ではアルファベットKのキーをタッチしたことになる。しかし、地点２３２はアルファベットDのキーに対応する認識領域２３１の範囲に属する。故に、入力デバイス１００は使用者がアルファベットDのキーを入力したことに認識する。
【００４１】
このように、タッチ領域に対応する認識領域の範囲を動的に割り当てる場合、使用者の意図とは無関係な使用者の動きによった歪曲を補正することができるので、使用者の正確な意図に符合される使用者の入力が可能になる。
【００４２】
図３aは一般的にセル座標系を図示した図面で、図３bは本発明の一実施例によったセル座標系を図示した図面である。
【００４３】
セル座標系は認識領域を複数個のセル領域に区画して、各セル領域には座標が設定されることができる。図３aを参照すると、セル座標系３１０によって１４＊１４個のセルが区画されて、各セルが位置した行及び列によって座標（x,y）が設定されることができる。例えば、左側最上段を基準とする時、第１行の第１列に位置したセル領域の座標は（１，１）である。この場合、座標（１，１）が設定されたセル領域内のどの位置をタッチしても、入力デバイス１００では該当セル領域がタッチされたことに認識する。
【００４４】
図３aに図示されたように一般的なセル座標系３１０は複数個のセル領域を均一に分割する。このようなセル座標系３１０によってタッチ領域を区画する場合、入力デバイス１００は使用者がタッチした地点をそのまま認識する。この場合、認識領域とタッチ領域とは合致する。
【００４５】
図３bに図示されたように、本発明の一実施例によるセル座標系３２０は少なくとも一部のセル領域を不均一に分割する。この場合、少なくとも一部のセル領域は、上述の通り、使用者の動きによる楽な移動半径及び使用者の意図などを考慮して不均一に分割される。このようなセル座標系３２０によってタッチ領域を区画する場合、入力デバイス１００は使用者の意図に符合される補正されたタッチ地点を認識する。
【００４６】
図４aないし図４dは本発明の一実施例によるセル座標系の様々な例を図示した図面である。
【００４７】
本発明の一実施例によるセル座標系４１０，４２０，４３０，４４０は把持領域上の位置、タッチパッド形態、把持方法などに基づいて多様に生成されることができる。
【００４８】
タッチパッドの形態によってタッチパッドと使用者指の移動半径間に差が発生する場合、使用者の不便によってタッチ地点が歪曲されることがある。故に、タッチ地点が歪曲されるのを防止するために、タッチパッドの形態を反映してセル座標系を生成することができる。
【００４９】
図４a及び図４bでは把持領域上の位置によってセル座標系４１０，４２０が生成される。一般的に、入力デバイス１００の楽な移動半径を外れた領域の場合該当座標より楽な移動半径に近い座標に検出される傾向がある。図４aで、右の指と対角線の方に一番遠く離れた左側最上段領域（X領域）及び右の指後ろに位置した右側最下段領域（Y領域）は楽な移動半径内の領域ではない。真ん中の領域は相対的に楽な移動半径内の領域になる。これを反映するために、該当座標より楽な移動半径に近い座標に検出されるように、X領域及びY領域に含まれるセル領域は真ん中の方向に傾いて複数のセル領域を分割する。また、入力デバイス１００の楽な移動半径を外れた領域をタッチする場合タッチ面積が大きく検出される傾向がある。これを反映するために、X領域及びY領域に含まれるセル領域の面積が大きくなるように複数のセル領域を分割する。
【００５０】
図４bで、左指と対角線の方に一番遠く離れた右側最上段領域（U領域）及び左手指後ろに位置した左側最下段領域（V領域）は楽な移動半径内の領域ではない。真ん中の領域は相対的に楽な移動半径内の領域になる。これを反映するために、該当座標より楽な移動半径に近い座標に検出されるように、U領域及びV領域に含まれるセル領域は真ん中の方向に傾いて複数のセル領域を分割する。また、入力デバイス１００の楽な移動半径を外れた領域をタッチする場合タッチ面積が大きく検出される傾向がある。これを反映するために、U領域及びV領域に含まれるセル領域の面積が大きくなるように複数のセル領域を分割する。
【００５１】
図４cではタッチ形態によってセル座標系４３０が生成される。
【００５２】
マルチタッチができるタッチパッドの場合、両手によってタッチされる指の移動半径がお互い影響を与える。故に、これによる影響がシングルタッチとは違ってセル座標系４３０に反映されることがある。両手各々に対応するセル領域は図４a及び図４bで説明したように分割されるので、詳しい説明は省略する。
【００５３】
図４ｄではタッチパッドの形態によるセル座標系４４０が生成される。
【００５４】
タッチパッドに含まれるタッチ領域が縦の方向に配列されるか又は横の方向に配列されるかの可否によって使用者の把持形態が変わることがある。使用者が右手で入力する場合を仮定する時、一般的に使用者は右側中心領域（M領域）を軸に動く。故に、M領域から遠く離れるほどセル領域の面積が大きくなるように複数のセル領域を分割することができる。
【００５５】
図５は本発明の一実施例による入力デバイスの制御過程を図示した図面である。
【００５６】
入力デバイス１００は入力デバイス１００に含まれるタッチ領域を通じて使用者のタッチを入力される（S５０１）。
【００５７】
入力デバイス１００はタッチ領域に対応される認識領域を通じて前記タッチ領域に入力された前記使用者のタッチを認識して、所定の基準によって前記タッチ領域に対応される前記認識領域の範囲を可変して割り当てる（S５０２）。
【００５８】
入力デバイス１００は認識された使用者のタッチに対応してディスプレイ装置６００に信号を送信する（S503）。この場合、ディスプレイ装置６００は入力デバイス１００から受信された制御信号に基づいて前記ディスプレイ装置６００の制御を行なうことができる。
【００５９】
一方、図１ないし図５で説明した内容は、入力デバイス１００ではないディスプレイ装置６００に具現されることもある。これに対しては図６及び図７を参照して説明する。
【００６０】
図６は本発明の一実施例によるディスプレイ装置の構成を図示したブロック図である。
【００６１】
本発明の一実施例によるディスプレイ装置６００は大型ディスプレイ（Large  Format  Display:LFD）、デジタルTV、移動端末、ラップトップコンピューター、デスクトップコンピューターなどを含むことができる。また、複数個のキーを含めて、前記複数個のキーを通じた使用者の入力に対応してディスプレイ装置６００を制御することができる電子デバイスなら、本発明の一実施例によるディスプレイ装置６００になることができる。
【００６２】
本発明の一実施例によるディスプレイ装置６００はディスプレイ部６１０、映像処理部６２０及び制御部６３０を含むことができる。
【００６３】
ディスプレイ部６１０は使用者のタッチを入力されるタッチ領域及び前記タッチ領域に対応されて前記タッチ領域に入力された前記使用者のタッチを認識する認識領域を含むことができる。
【００６４】
映像処理部６２０は映像を処理してディスプレイ部６１０に表示することができる。このために、映像処理部６２０はデコーディング（decoding）、スケーリング、明るさ調節、コントラスト（対比）調節、明暗調節及びイメージエンハンスメント（image  enhancement）の中少なくとも一つを行なうことができる。
【００６５】
制御部６３０は所定の基準によって前記タッチ領域に対応される前記認識領域の範囲を可変して割り当てることができる。
【００６６】
制御部６３０は使用者のタッチを認識して、これに対応して映像を処理するように映像処理部６２０を制御することができる。
【００６７】
図７は本発明の一実施例によるディスプレイ装置の制御過程を図示した図面である。
【００６８】
ディスプレイ装置６００はディスプレイ装置６００に含まれるタッチ領域を通じて使用者のタッチを入力される（S７０１）。
【００６９】
ディスプレイ装置６００はタッチ領域に対応される認識領域を通じて前記タッチ領域に入力された前記使用者のタッチを認識して、所定の基準によって前記タッチ領域に対応される前記認識領域の範囲を可変して割り当てる（S７０２）。
【００７０】
ディスプレイ装置６００は認識された使用者のタッチに対応して所定の制御動作を行なう（S７０３）。
【００７１】
本発明のいくつかの実施例が図示されて説明されたが、本発明が属する技術分野の通常の知識を持った当業者なら本発明の原則や精神から離れずに本実施例を変形できるのをわかる事である。発明の範囲は添付された請求項とその均等物によって決められる。
【符号の説明】
【００７２】
１００：入力デバイス
１１０：通信部
１２０：タッチパネル
１３０：制御部
６００：ディスプレイ装置
６１０：ディスプレイ部
６２０：映像処理部
６３０：制御部
【図１】
0006043471.tif 000002
【図２ａ】
0006043471.tif 000003
【図２ｂ】
0006043471.tif 000004
【図３ａ】
0006043471.tif 000005
【図３ｂ】
0006043471.tif 000006
【図４ａ】
0006043471.tif 000007
【図４ｂ】
0006043471.tif 000008
【図４ｃ】
0006043471.tif 000009
【図４ｄ】
0006043471.tif 000010
【図５】
0006043471.tif 000011
【図６】
0006043471.tif 000012
【図７】
0006043471.tif 000013